【事件の表示】
　平成　９年特許願第２３６１２７号「撮像装置」拒絶査定に対する審判事件［平成１１年　３月１６日出願公開、特開平１１−　７５１２２］について、次のとおり審決する。
【結　論】
　本件審判の請求は、成り立たない。
【理　由】
 I【手続の経緯、請求項に係る発明】
　本願は、平成９年９月１日の出願であって、平成１１年７月２３日付け手続補正は、当該補正により補正された発明が本願特許出願の際独立して特許を受けることができないという理由により、本日付けで決定をもって却下したので、本願の発明は、明細書及び図面の記載からみて、その特許請求の範囲の請求項１〜５に記載された事項により特定される「撮像装置」にあると認められるところ、その請求項４に係る発明（以下「本願発明」という。）は、次のとおりのものである。
「撮像装置において、外部からの画像データ転送用クロック信号を受け、該クロック信号に同期して撮像素子の駆動信号とＡ／Ｄ変換器のクロック信号を生成するタイミング信号発生手段を有することを特徴とする撮像装置。」
II【引用例】
　原査定の拒絶の理由に引用された特開平９−１０２９１６号公報（以下「引用例」という。）には、「撮像装置」（発明の名称）に関し、図面と共に次の１ないし３の記載がある。
１．「【請求項１】被写体の画像を撮らえて画像情報をコンピュータ機器に１画面単位供給する撮像装置において、複数の受光画素が行列配置され、照射される被写体画像に対応する情報電荷を各受光画素に蓄積する固体撮像素子と、この固体撮像素子の各受光画素に蓄積される情報電荷を１行単位で順次転送出力して画像信号を得るドライバ回路と、このドライバ回路の垂直走査の起動タイミングを一定の周期で設定すると共に水平走査の起動タイミングをコンピュータ機器側から供給されるライン送りトリガに応答して設定するタイミング制御回路と、上記画像信号に対してアナログ信号処理を施すアナログ信号処理回路と、アナログ信号処理が施された上記画像信号をアナログ／デジタル変換して画像データを生成するＡ／Ｄ変換回路と、上記画像データに対してデジタル信号処理を施すデジタル信号処理回路と、デジタル信号処理が施された上記画像データを１行単位で順次記憶するラインメモリ回路と、このラインメモリ回路から上記画像データを読み出してコンピュータ機器のバスラインへ送出するインタフェ−ス制御回路と、を備えたことを特徴とする撮像装置。」（特許請求の範囲）
２．「【発明の実施の形態】図１は、本発明の撮像装置の構成を示すブロック図で、図２は、その動作を説明するタイミング図である。ＣＣＤ固体撮像素子１及びドライバ回路２は、図７と同一であり、ドライバ回路２によりＣＣＤ固体撮像素子１がパルス駆動されて画像信号Ｙｏ（ｔ）を得るように構成される。即ち、ＣＣＤ固体撮像素子１の撮像部ｌｉ、蓄積部ｌｓ及び水平転送部ｌｈに対応し、垂直クロック発生部２ｖ、蓄積クロック発生部２ｓ及び水平クロック発生部２ｈが設けられ、垂直クロックφｖ、蓄積グロックのφｓ及び水平クロックのφｈがＣＣＤ固体撮像素子１の各部に供給される。また、排出クロック発生部２ｄから発生される排出クロックのφｄによってＣＣＤ固体撮像素子１のシャッタ動作を可能にしている。
【００１５】第１制御部２０は、アナログ信号処理回路２１、Ａ／Ｄ変換回路２２、タイミング制御回路２３、露光制御回路２４，周期判定回路２５及びコマンドレジスタ２６からなり、共通の半導体基板上に集積化されて１チップ構成となっている。アナログ信号処理回路２１は、ＣＣＤ固体撮像素子１から出力される画像信号Ｙ０（ｔ）に対してサンプルホールド、ＡＧＣ（自動利得制御）等の処理を施し、波形整形された画像信号Ｙ１（ｔ）をＡ／Ｄ変換回路２２に供給する。例えは、サンプルホ−ルド処理では、ＣＣＤ固体撮像素子１の出力動作に同期して基準電位と信号電位とが繰り返される画像信号Ｙ０（ｔ）を受け、基準電位部分と信号電位部分とをそれぞれサンプリングし、それらの電位差が取り出される。また、ＡＧＣ処理では、サンプルホールド処理された画像信号に対し、１垂直走査期間の平均レベルに応じたゲインを与え、各垂直走査期間毎の平均レベルが略均一になるように制御される。画像信号Ｙ１（ｔ）を受けるＡ／Ｄ変換回路２２は、ＣＣＤ固体撮像素子１の駆動タイミングに同期し、アナログ信号処理回路２１から出力される画像信号を１画素分ずつデジタル／アナログ変換して画像データＤ（ｎ）を生成する。ここで生成される画像データＤ（ｎ）は、パソコン側に転送される。」（公報第４頁左欄第３９行〜右欄第２３行）
３．「【００１６】タイミング制御回路２３は、一定周期の基準クロックに基づいて垂直タイミング信号ＶＴを生成し、ドライバ回路２に供給する。この垂直タイミング信号ＶＴの周期は、ＣＣＤ固体撮像素子１の垂直走査周期を決定するものであり、コマンドレジスタ２６に格納されたコマンドによって設定される。この垂直タイミング信号ＶＴの周期Ｖは、パソコン側に１画面分の画像データＤ（ｎ）の転送を完了できるような時間設定される。垂直タイミング信号ＶＴを受けるドライバ回路２は、垂直タイミング信号ＶＴのタイミングで垂直クロックのφｖを起動し、ＣＣＤ固体撮像素子１の撮像部ｌｉの情報電荷を蓄積部ｌｓへ転送する。このとき、タイミング制御回路２３は、ＣＣＤ固体撮像素子１で１画面分の情報電荷の出力が可能になったことを示す割り込み信号ＩＴをパソコン側に送信する。また、タイミング制御回路２３は、パソコン側から供給されるライン送りトリガＨＳに応答して水平タイミング信号ＨＴを生成し、ドライバ回路２に供給する。水平タイミング信号ＨＴを受けるドライバ回路２は、水平タイミング信号ＨＴのタイミングで水平クロックφｈを起動し、ＣＣＤ固体撮像素子１の蓄積部ｌｓの情報電荷を１行ずつ水平転送部ｌｈへ転送する。このように、ＣＣＤ固体撮像素子１の垂直走査のタイミングは、タイミング制御回路２３によって決定されるのに対して、水平走査のタイミングは、画像データＤ（ｎ）を受けるパソコン側で決定される。」（公報第４頁右欄第２４行〜第４８行）
III【対比・判断】
　そこで、本願発明と引用例に記載された発明とを対比すると、次のことが認められる。
（１）引用例には、固体撮像素子の各受光画素に蓄積される情報電荷を１行単位で順次転送出力して画像信号を得るドライバ回路と、水平走査の起動タイミングをコンピュータ機器側から供給されるライン送りトリガに応答して設定するタイミング制御回路と、上記画像信号をアナログ／デジタル変換して画像データを生成するＡ／Ｄ変換回路を備え、被写体の画像を撮らえて画像情報をコンピュータ機器に１画面単位供給する撮像装置が記載されており（引用例の上記１．の記載参照）、その「固体撮像素子」、「ライン送りトリガ」、「Ａ／Ｄ変換回路」、「タイミング制御回路」が、それぞれ本願発明の「撮像素子」、「画像データ転送用クロック信号」、「Ａ／Ｄ変換器」、「タイミング信号発生手段」に相当するものといえる。
（２）引用例の実施例には、タイミング制御回路２３は、パソコン側から供給されるライン送りトリガＨＳに応答して水平タイミング信号ＨＴを生成し、ドライバ回路２に供給し、そのドライバ回路２は、水平タイミング信号ＨＴのタイミングで水平クロックφｈを起動し、ＣＣＤ固体撮像素子１の蓄積部ｌｓの情報電荷を１行ずつ水平転送部ｌｈへ転送することによって、ＣＣＤ固体撮像素子１の水平走査のタイミングは、画像データＤ（ｎ）を受けるパソコン側で決定されることが記載されており（引用例の上記３．の記載参照）、またＡ／Ｄ変換回路２２は、ＣＣＤ固体撮像素子１の駆動タイミングに同期し、画像信号を１画素分ずつアナログ／デジタル変換（引用例に記載の「デジタル／アナログ変換」は、誤記と認める。）して画像データを生成することが記載されている（引用例の上記２．の記載参照）。
　それらの記載や上記（１）で摘示した引用例の記載によると、上記タイミング制御回路は、本願発明でいう“外部からの画像データ転送用クロック信号を受け、該クロック信号に同期して撮像素子の駆動信号を生成する”ものといえ、また本願発明と同様の“撮像装置”という点でも引用例に記載のものと変わりがない。
（３）上記（１）、（２）を踏まえると、両発明は、「撮像装置において、外部からの画像データ転送用クロック信号を受け、該クロック信号に同期して撮像素子の駆動信号を生成するタイミング信号発生手段を有することを特徴とする撮像装置。」である点で一致し、次の点で相違している。
　〔相違点〕
　タイミング信号発生手段が、本願発明では、画像データ転送用クロック信号に同期して「Ａ／Ｄ変換器のクロック信号」も生成しているのに対して、引用例には、そのことが記載されていない点。
　以下、上記相違点について検討する。
　上記（２）でも摘示したように引用例に記載のＡ／Ｄ変換回路は、固体撮像素子の駆動タイミングに同期して、画像信号を１画素分ずつアナログ／デジタル変換して画像データを生成するものであるから、そのＡ／Ｄ変換回路は、補正発明でいう“クロック信号”に基づきアナログ／デジタル変換動作を行うものといえ、そして上記（２）でも述べたように、上記固体撮像素子の駆動タイミングは、パソコン側から供給されるライン送りトリガに応答してタイミング制御回路が生成するものであるから、その駆動タイミングと同期する上記“クロック信号”をも、タイミング制御回路から生成するようになす程度のことは、例えば、特開平２−７９６７６号公報にも示されているように撮像素子の駆動信号やＡ／Ｄ変換器のクロック信号をタイミング信号発生手段で生成することが極く普通に知られていることを勘案すると当業者が容易になし得ることといえる。すなわち引用例に記載の撮像装置において、そのタイミング制御回路（タイミング信号発生手段）が、本願発明のように画像データ転送用クロック信号に同期して「Ａ／Ｄ変換器のクロック信号」も生成するようになす程度のことは当業者が容易になし得ることといえる。
　そして、本願発明の効果についてみても格別顕著なものがあるとはいえない。
V【むすび】
　以上のとおりであるから、本願発明は、上記引用例に記載された発明に基いて当業者が容易に発明をすることができたものであるから、特許法第２９条第２項の規定により特許を受けることができない。
　また、他の請求項１ないし３及び５について検討するまでもなく、本願は拒絶すべきものである。
　よって、結論のとおり審決する。